(57)【特許請求の範囲】
【請求項１】
像担持体上に形成されたトナー像を用紙に転写する転写部と、
前記転写部よりも用紙搬送方向の下流側に設けられ、転写されたトナー像を加熱により前記用紙に定着する定着部と、
前記転写部と前記定着部との間に設けられ、前記用紙を吸着するための吸引口を有する搬送ガイド部と、
前記吸引口からエアを吸引し、前記用紙を前記搬送ガイド部に吸着させる吸引部と、
前記吸引部の駆動を制御する制御部と、
前記吸引部と前記搬送ガイド部との間において前記吸引部に対向して設けられたシャッターと、を備え、前記用紙の両面に画像を形成可能な画像形成装置であって、
前記制御部は、前記シャッターを開閉することにより、前記吸引部による吸引開始又は停止を行い、少なくとも前記用紙の搬送方向後端部が前記吸引口を通過する時は前記吸引部による吸引を停止する用紙吸着制御を行うことを特徴とする画像形成装置。
【請求項２】
前記制御部は、少なくとも前記用紙の搬送方向前端部が前記定着部に到達してから前記用紙の搬送方向後端部が前記吸引口よりも用紙搬送方向の下流側の位置に到達するまでの間、前記吸引部による吸引を停止する用紙吸着制御を行うことを特徴とする請求項１に記載の画像形成装置。
【請求項３】
前記制御部は、少なくとも前記用紙の搬送方向前端部が前記吸引口に到達する時までに、前記吸引部による吸引を開始する用紙吸着制御を行うことを特徴とする請求項１に記載の画像形成装置。
【請求項４】
前記制御部は、前記用紙の搬送方向前端部が前記転写部に到達した後に、前記吸引部による吸引を開始する用紙吸着制御を行うことを特徴とする請求項３に記載の画像形成装置。
【請求項５】
前記制御部は、前記吸引部による吸引の開始とともに計時を開始し、所定時間経過後に、前記吸引部による吸引を停止する用紙吸着制御を行うことを特徴とする請求項１から請求項４の何れか一項に記載の画像形成装置。
【請求項６】
前記制御部は、前記用紙の両面のうち２面目に画像を形成するときに、前記用紙吸着制御を行うことを特徴とする請求項１から請求項５の何れか一項に記載の画像形成装置。
【発明の詳細な説明】
【技術分野】
【０００１】
本発明は、画像形成装置に関する。
【背景技術】
【０００２】
従来、感光体上に形成された静電潜像をトナーで現像してトナー像を形成し、形成されたトナー像を用紙に転写し、転写されたトナー像を加熱定着することで、用紙上に画像を形成する画像形成装置が知られている。
【０００３】
このような画像形成装置において、転写部・定着部間で用紙を搬送する搬送ベルトに吸引部が設けられ、当該吸引部により用紙を搬送ベルトに密着させ、用紙を安定して搬送する技術が提供されている（例えば、特許文献１参照）。
【先行技術文献】
【特許文献】
【０００４】
【特許文献１】特開２００８−２０３７６７号公報
【発明の概要】
【発明が解決しようとする課題】
【０００５】
しかしながら、上記したような従来の技術にあっては、用紙の両面に画像を形成する場合であって、転写部・定着部間を搬送される用紙の搬送方向後端部が転写部を離脱した時、当該用紙の後部が吸引部により搬送ガイド部に吸着されて擦られることにより、用紙の搬送ガイド部に対向する面に形成される画像に搬送ガイド部のリブ傷が付いてしまい、画像品質が低下してしまう場合がある。
【０００６】
そこで、本発明は、用紙の両面に画像を形成する場合において、転写部・定着部間を搬送される用紙が搬送ガイド部に吸着されて擦られることによる画像品質の低下を防止する画像形成装置を提供することを目的とする。
【課題を解決するための手段】
【０００７】
以上の目的は、
像担持体上に形成されたトナー像を用紙に転写する転写部と、
前記転写部よりも用紙搬送方向の下流側に設けられ、転写されたトナー像を加熱により前記用紙に定着する定着部と、
前記転写部と前記定着部との間に設けられ、前記用紙を吸着するための吸引口を有する搬送ガイド部と、
前記吸引口からエアを吸引し、前記用紙を前記搬送ガイド部に吸着させる吸引部と、
前記吸引部の駆動を制御する制御部と、
前記吸引部と前記搬送ガイド部との間において前記吸引部に対向して設けられたシャッターと、を備え、前記用紙の両面に画像を形成可能な画像形成装置であって、
前記制御部は、前記シャッターを開閉することにより、前記吸引部による吸引開始又は停止を行い、少なくとも前記用紙の搬送方向後端部が前記吸引口を通過する時は前記吸引部による吸引を停止する用紙吸着制御を行う画像形成装置により達成できる。
【発明の効果】
【０００８】
本発明によれば、用紙の両面に画像を形成する場合において、少なくとも用紙の搬送方向後端部が吸引口を通過する時は吸引部による吸引を停止する用紙吸着制御を行うので、転写部を離脱した用紙の後部が搬送ガイド部に吸着して擦れられることを防止でき、これにより画像品質の低下を防止することができる。
【図面の簡単な説明】
【０００９】
【図１】本発明に係る画像形成装置を説明する図である。
【図２】画像形成装置の制御系を示すブロック図である。
【図３】画像形成装置における二次転写部及び定着部の周辺構成を示す概略構成図である。
【図４】吸引部によるエアの吸引を開始又は停止するタイミングを説明する図である。
【図５】用紙吸着制御処理の一例を示すフローチャートである。
【図６】変形例に係る用紙吸着制御処理を示すフローチャートである。
【発明を実施するための形態】
【００１０】
以下、本発明の実施の形態を説明する。なお、本欄の記載は特許請求の範囲に記載される技術的範囲や用語の意義を限定するものではない。
【００１１】
図１は、本発明に係る画像形成装置Ａを説明する図である。
【００１２】
画像形成装置Ａは、タンデム型カラー画像形成装置と称せられるもので、４組の画像形成部によりカラー画像形成を行う。
【００１３】
原稿台上に載置された原稿は画像読み取り装置ＳＣの走査露光装置の光学系により画像が走査露光され、ラインイメージセンサーに読み込まれ、光電変換された画像情報信号は、画像処理部（非図示）において、アナログ処理、Ａ／Ｄ変換、シェーディング補正、画像圧縮処理等を行った後、画像形成部の光書込部に入力される。
【００１４】
４組の画像形成部はイエロー（Ｙ）色の画像を形成する画像形成部１０Ｙ、マゼンタ（Ｍ）色の画像を形成する画像形成部１０Ｍ、シアン（Ｃ）色の画像を形成する画像形成部１０Ｃ、黒（Ｋ）色の画像を形成する画像形成部１０Ｋであり、それぞれ共通する符号１０の後に形成する色をあらわす符号Ｙ、Ｍ、Ｃ、Ｋを付して表記する。
【００１５】
画像形成部１０Ｙは、感光体ドラム１Ｙ及びその周囲に配置された帯電部２Ｙ、光書込部３Ｙ、現像装置４Ｙ及びドラムクリーナ５Ｙを有して構成される。
【００１６】
同様に、画像形成部１０Ｍは、感光体ドラム１Ｍの周囲に配置された帯電部２Ｍ、光書込部３Ｍ、現像装置４Ｍ及びドラムクリーナ５Ｍを、画像形成部１０Ｃは、感光体ドラム１Ｃの周囲に配置された帯電部２Ｃ、光書込部３Ｃ、現像装置４Ｃ及びドラムクリーナ５Ｃを、画像形成部１０Ｋは、感光体ドラム１Ｋの周囲に配置された帯電部２Ｋ、光書込部３Ｋ、現像装置４Ｋ及びドラムクリーナ５Ｋを有して構成される。
【００１７】
画像形成部１０Ｙ、１０Ｍ、１０Ｃ、１０Ｋにおけるそれぞれの感光体ドラム１Ｙ、１Ｍ、１Ｃ、１Ｋ、帯電部２Ｙ、２Ｍ、２Ｃ、２Ｋ、光書込部３Ｙ、３Ｍ、３Ｃ、３Ｋ、現像装置４Ｙ、４Ｍ、４Ｃ、４Ｋ及びドラムクリーナ５Ｙ、５Ｍ、５Ｃ、５Ｋはそれぞれ共通する内容の構成である。以下、特に区別が必要な場合を除き符号Ｙ、Ｍ、Ｃ、Ｋを付さずに表記することにする。
【００１８】
画像形成部１０は、光書込部３にて画像情報信号を感光体ドラム１に書き込み、感光体ドラム１に画像情報信号に基づく潜像を形成する。そして潜像は現像装置４により現像され、感光体ドラム１上に可視画像であるトナー画像が形成される。
【００１９】
画像形成部１０Ｙ、１０Ｍ、１０Ｃ、１０Ｋのそれぞれ感光体ドラム１Ｙ、１Ｍ、１Ｃ、１Ｋに、それぞれ、イエロー（Ｙ）色、マゼンタ（Ｍ）色、シアン（Ｃ）色、黒（Ｋ）色、の画像が形成される。
【００２０】
像担持体である中間転写ベルト６は、複数のローラーにより巻回され、走行可能に支持されている。
【００２１】
画像形成部１０Ｙ、１０Ｍ、１０Ｃ、１０Ｋより形成された各色のトナー画像は、走行する中間転写ベルト６上に一次転写部７Ｙ、７Ｍ、７Ｃ、７Ｋにより逐次転写されてＹ（イエロー）、Ｍ（マゼンタ）、Ｃ（シアン）、Ｋ（黒）の各色層が重畳したカラー画像が形成される。
【００２２】
用紙搬送部２０は用紙Ｓを搬送する。用紙Ｓは給紙トレイ２９１、２９２、２９３に収容されており、第１給紙部２１により給紙され、レジストローラー２２を経て、二次転写部７Ａに搬送され、用紙Ｓ上に中間転写ベルト６上のカラー画像が転写される。カラー画像が転写された用紙Ｓは、定着部３０にて熱と圧力とを加えることにより用紙Ｓ上のトナー像が定着され、定着搬送ローラー２３及び排紙ローラー２５を経て装置外に排出される。
【００２３】
また、画像形成装置Ａは用紙反転部２４を備えており、定着がなされた用紙を定着搬送ローラー２３から用紙反転部２４に導いて表裏を反転し排出、あるいは用紙の両面に画像形成を行うことを可能としている。
【００２４】
画像形成装置Ａの本体上部に設置された操作表示部８０から画像形成を行うに際しての用紙Ｓのサイズ、枚数等を設定できる。
【００２５】
図３は、本発明に係る画像形成装置Ａにおける二次転写部７Ａ及び定着部３０の周辺構成を説明する図である。なお、図３においては、定着部３０における加熱ローラー３１及び加圧ローラー３２以外の構成の図示を省略する。
【００２６】
二次転写部７Ａは、中間転写ベルト６を介してローラー６１に対向配置され、中間転写ベルト６との間に用紙Ｓをニップし、中間転写ベルト６上のカラー画像を用紙Ｓに転写しながら当該用紙Ｓを用紙搬送方向の下流側に搬送する。
【００２７】
定着部３０は、二次転写部７Ａによりカラー画像が転写された用紙Ｓを所定の定着温度で加熱して定着させる加熱ローラー３１、加熱ローラー３１との間に用紙Ｓをニップして、加熱ローラー３１に用紙Ｓを押圧させる加圧ローラー３２等を備えている。定着部３０は、加熱ローラー３１と加圧ローラー３２との間に用紙Ｓをニップして、用紙Ｓに熱と圧力とを加えながら当該用紙Ｓを用紙搬送方向の下流側に搬送する。
【００２８】
二次転写部７Ａと定着部３０との間には、搬送ガイド部１２が設けられている。
搬送ガイド部１２は、二次転写部７Ａと定着部３０との間において搬送される用紙Ｓを支持する。また、搬送ガイド部１２は、二次転写部７Ａを通過する用紙Ｓの搬送方向における前端部Ｓａが、定着部３０の定着ニップ部３３にニップされるように、用紙Ｓをガイドする。また、搬送ガイド部１２の用紙Ｓの搬送方向における中間位置には、上下方向に貫通する吸引口１３が設けられている。
なお、図示例では、搬送ガイド部１２に吸引口１３が１つ設けられるものとしたが、吸引口１３は複数設けられていても良い。
【００２９】
吸引部１１は、搬送ガイド部１２の下方に対向して設けられ、ファンが回転駆動することによりエアを下方へと吸引し、搬送ガイド部１２の吸引口１３からエアを吸引する。これにより、搬送ガイド部１２の上を搬送される用紙Ｓが搬送ガイド部１２に吸着されて、用紙Ｓが搬送ガイド部１２にガイドされることで、用紙Ｓの前端部Ｓａが定着部３０の定着ニップ部３３に正確にニップされる。また、吸引部１１と搬送ガイド部１２の吸引口１３との間にはエア通路１４が設けられ、これにより吸引部１１によるエアの吸引が効率的に行われる。
【００３０】
シャッター１５は、エア通路１４内において吸引部１１と搬送ガイド部１２の吸引口１３との間に設けられ、スライド移動可能に構成されている。シャッター１５は、スライド移動することにより、エア通路１４を開放又は閉鎖する。シャッター１５によりエア通路１４を開放することで、吸引部１１によるエアの吸引を開始することができ、シャッター１５によりエア通路１４を閉鎖することで、吸引部１１によるエアの吸引を停止することができる。
【００３１】
第１センサー１６は、二次転写部７Ａの近傍に設けられ、二次転写部７Ａと中間転写ベルト６との転写ニップ部８における用紙Ｓの存否を検知するセンサーである。第２センサー１７は、定着部３０の近傍に設けられ、加熱ローラー３１と加圧ローラー３２との定着ニップ部３３における用紙Ｓの存否を検知するセンサーである。これらの第１センサー１６及び第２センサー１７は、例えば、対象物に向けて光を射出する発光素子と、当該対象物からの反射光を受光する受光素子とから構成される非接触式の反射型光センサーであり、対象物からの反射光を受光素子により検知することにより対象物の有無を検知する。
【００３２】
制御部９０は、図２に示すように、画像形成装置Ａの各部を制御する。制御部９０は、図示しないＣＰＵ（Central Processing Unit）、ＲＡＭ（Random Access Memory）、ＲＯＭ（Read Only Memory）を備え、画像形成装置Ａ用の各種処理プログラムに従って各種動作を行う。
具体的には、制御部９０は、少なくとも用紙Ｓの搬送方向における後端部Ｓｂが吸引口１３を通過する時は吸引部１１による吸引を停止する用紙吸着制御を行う。より具体的には、制御部９０は、用紙Ｓの前端部Ｓａが定着部３０に到達してから用紙Ｓの後端部Ｓｂが吸引口１３よりも用紙搬送方向の下流側の位置に到達するまでの間、吸引部１１による吸引を停止する。
また、制御部９０は、少なくとも用紙Ｓの前端部Ｓａが吸引口１３に到達する時までに、吸引部１１による吸引を開始する用紙吸着制御を行う。より具体的には、制御部９０は、用紙Ｓの前端部Ｓａが二次転写部７Ａに到達した後に、吸引部１１による吸引を開始する。
制御部９０が吸引部１１によるエアの吸引を開始又は停止するタイミングについて図４を参照して説明する。なお、図４においては、定着部３０における加熱ローラー３１及び加圧ローラー３２以外の構成の図示を省略する。
【００３３】
図４（ａ）は、用紙Ｓの前端部Ｓａが二次転写部７Ａと中間転写ベルト６との転写ニップ部８に到達する時の用紙Ｓの位置を示しており、制御部９０は、例えば、図４（ａ）に示す時にシャッター１５によりエア通路１４を開放して吸引部１１によるエアの吸引を開始する。なお、制御部９０は、図４（ａ）に示す時に限られず、少なくとも用紙Ｓの前端部Ｓａが吸引口１３に到達する時までに吸引部１１によるエアの吸引を開始すれば良い。
【００３４】
図４（ｂ）は、用紙Ｓの前端部Ｓａが定着部３０の定着ニップ部３３に到達する時の用紙Ｓの位置を示しており、図４（ｃ）は、用紙Ｓの後端部Ｓｂが二次転写部７Ａと中間転写ベルト６との転写ニップ部８を離脱した後の用紙Ｓの位置を示している。制御部９０は、用紙Ｓの前端部Ｓａが定着部３０に到達した時（図４（ｂ）に示す時）から用紙Ｓの後端部Ｓｂが吸引口１３よりも用紙搬送方向の下流側の位置に到達する時までの間、シャッター１５によりエア通路１４を閉鎖して吸引部１１によるエアの吸引を停止する。これにより、図４（ｃ）に示すように、用紙Ｓの後端部Ｓｂは搬送ガイド部１２に吸着されることなく、用紙搬送方向の下流側に搬送され、用紙Ｓの後部が搬送ガイド部１２に擦られることによる画像品質の低下を防止することができる。なお、制御部９０は、上記した間に限られず、少なくとも用紙Ｓの後端部Ｓｂが吸引口１３を通過する時に、吸引部１１によるエアの吸引を停止しておけば良い。
【００３５】
次に、以上のようにして構成された画像形成装置Ａを用いて、用紙Ｓの両面に画像形成を行う場合において、制御部９０により一の用紙Ｓに対して行われる用紙吸着制御処理の一例について、図５を参照して以下説明する。なお、以下に説明する用紙吸着制御処理においては、図４（ａ）に示す時にエアの吸引を開始し、図４（ｂ）に示す時から用紙Ｓの後端部Ｓｂが吸引口１３よりも用紙搬送方向の下流側の位置に到達する時までの間、エアの吸引を停止するものとする。
【００３６】
先ず、制御部９０は、用紙Ｓの前端部Ｓａが二次転写部７Ａに到達したか否かを判定する（ステップＳ１）。具体的には、制御部９０は、第１センサー１６により、二次転写部７Ａと中間転写ベルト６との転写ニップ部８において用紙Ｓが存在するか否かを判定する。なお、このとき制御部９０は、すでに吸引部１１の駆動を開始しているが、シャッター１５によりエア通路１４は閉鎖されており、吸引口１３からエアは吸引されていない。
【００３７】
用紙Ｓの前端部Ｓａが二次転写部７Ａに到達したと判定されると（ステップＳ１；ＹＥＳ）、制御部９０は、シャッター１５によりエア通路１４を開放し、吸引口１３からエアの吸引を開始する（ステップＳ２）。これにより、搬送ガイド部１２上を搬送される用紙Ｓが搬送ガイド部１２に吸着されて、用紙Ｓの前端部Ｓａが定着部３０の定着ニップ部３３にガイドされ、用紙Ｓの前端部Ｓａが定着ニップ部３３に正確にニップされる。
【００３８】
次に、制御部９０は、用紙Ｓの前端部Ｓａが定着部３０に到達したか否かを判定する（ステップＳ３）。具体的には、制御部９０は、第２センサー１７により、定着部３０の定着ニップ部３３において用紙Ｓが存在するか否かを判定する。
【００３９】
用紙Ｓの前端部Ｓａが定着部３０に到達したと判定されると（ステップＳ３：ＹＥＳ）、制御部９０は、シャッター１５によりエア通路１４を閉鎖し、吸引口１３からのエアの吸引を停止し、少なくとも用紙Ｓの後端部Ｓｂが吸引口１３よりも用紙搬送方向の下流側の位置に到達する時までの間、吸引部１１による吸引の停止状態を維持する（ステップＳ４）。これにより、用紙Ｓの後端部Ｓｂが転写ニップ部８を離脱した時に、用紙Ｓの後部が搬送ガイド部１２に吸着されず、トナー像が転写された用紙Ｓが搬送ガイド部１２に擦られない。また、吸引部１１によるエアの吸引の停止をシャッター１５により行っているため応答性が良く、用紙Ｓの前端部Ｓａが定着部３０に到達した時点で確実にエアの吸引を停止することができる。
これにより、吸引制御処理を終了する。
【００４０】
以上、本実施形態によれば、少なくとも用紙Ｓの後端部Ｓｂが吸引口１３を通過する時は、吸引部１１によるエアの吸引を停止する用紙吸着制御を行うので、転写ニップ部８を離脱した用紙Ｓの後部が吸引部１１により搬送ガイド部１２に吸着されることを防止でき、これにより用紙Ｓが搬送ガイド部１２に擦られることによる画像品質の低下を防止することができる。
【００４１】
また、用紙Ｓの前端部Ｓａが定着部３０に到達してから用紙Ｓの後端部Ｓｂが吸引口１３よりも用紙搬送方向の下流側の位置に到達するまでの間、吸引部１１による吸引を停止する用紙吸着制御を行うので、用紙Ｓの搬送速度が速い場合であっても、用紙Ｓの後端部Ｓｂが二次転写部７Ａを離脱する前に確実に吸引部１１によるエアの吸引を停止することができる。
【００４２】
また、少なくとも用紙Ｓの前端部Ｓａが吸引口１３に到達する時までに、吸引部１１による吸引を開始する用紙吸着制御を行うので、搬送ガイド部１２の上を搬送される用紙Ｓが搬送ガイド部１２に吸着されてガイドされ、用紙Ｓの前端部Ｓａが定着部３０の定着ニップ部３３に正確にニップされる。
【００４３】
また、用紙Ｓの前端部Ｓａが二次転写部７Ａに到達した後に、吸引部１１による吸引を開始する用紙吸着制御を行うので、用紙Ｓの搬送速度が速い場合であっても、用紙Ｓの前端部Ｓａが吸引口１３に到達する前に確実に吸引部１１による吸引を開始することができる。
【００４４】
また、吸引部１１と吸引口１３との間でエア通路１４の開閉を行うシャッター１５が設けられているので、所望のタイミングで応答性良くエアの吸引を開始及び停止することができ、用紙Ｓが搬送ガイド部１２に吸着されることを効果的に防止することができる。
【００４５】
＜変形例＞
ここで、図６を参照して画像形成装置Ａにおける用紙吸着制御処理の変形例について説明する。変形例においては、制御部９０は、吸引部１１による吸引の開始とともに計時を開始し、所定時間経過後に、吸引部１１による吸引を停止する用紙吸着制御を行う。なお、変形例における画像形成装置の構成は、上記実施形態の画像形成装置Ａと略同様である。
【００４６】
先ず、制御部９０は、用紙Ｓの前端部Ｓａが二次転写部７Ａに到達したか否かを判定する（ステップＳ１１）。具体的には、制御部９０は、第１センサー１６により、二次転写部７Ａと中間転写ベルト６との転写ニップ部８において用紙Ｓが存在するか否かを判定する。なお、このとき制御部９０は、すでに吸引部１１の駆動を開始しているが、シャッター１５によりエア通路１４は閉鎖されており、吸引口１３からエアは吸引されていない。
【００４７】
用紙Ｓの前端部Ｓａが二次転写部７Ａに到達したと判定されると（ステップＳ１１；ＹＥＳ）、制御部９０は、シャッター１５によりエア通路１４を開放し、吸引口１３からエアの吸引を開始する（ステップＳ１２）。
【００４８】
制御部９０は、吸引口１３からエアの吸引を開始すると共に、計時を開始する（ステップＳ１３）。具体的には、制御部９０は、用紙Ｓの前端部Ｓａが二次転写部７Ａと中間転写ベルト６との転写ニップ部８に到達したタイミングから計時を開始する。
【００４９】
次に、制御部９０は、計時した時間が所定のタイマー値に達したか否かを判定する（ステップＳ１４）。ここで、所定のタイマー値とは、予め設定され入力されている数値であって、所定の搬送速度で搬送される用紙Ｓの前端部Ｓａが、転写ニップ部８から定着部３０の定着ニップ部３３まで搬送される時間を示す値である。
【００５０】
タイマー値に達したと判定されると（ステップＳ１４：ＹＥＳ）、制御部９０は、シャッター１５によりエア通路１４を閉鎖し、吸引口１３からのエアの吸引を停止し、少なくとも用紙Ｓの後端部Ｓｂが吸引口１３よりも用紙搬送方向の下流側の位置に到達する時までの間、吸引部１１による吸引の停止状態を維持する（ステップＳ１５）。
これにより、変形例に係る吸引制御処理を終了する。
【００５１】
以上、変形例によれば、吸引部１１による吸引の開始とともに計時を開始し、所定時間経過後に、吸引部１１による吸引を停止する用紙吸着制御を行うので、第２センサー１７を設ける必要がなく、装置構成を簡易にすることができる。
【００５２】
なお、本発明の実施の形態では、吸引部１１による吸引を開始及び停止するためのシャッター１５が設けられるものとしたが、シャッター１５が設けられていなくとも良い。例えば、制御部９０が、所定のタイミングで吸引部１１の駆動を開始及び停止することにより、エアの吸引を開始及び停止するものとしても良い。
【００５３】
また、本発明の実施の形態では、シャッター１５がスライド式の開閉シャッターであるものとしたが、吸引部１１と吸引口１３との間でエア通路１４を物理的に遮断することができるものであれば良い。例えば、エア通路１４を開閉するバルブが挙げられる。
【００５４】
また、本発明の実施の形態では、用紙Ｓの前端部Ｓａが二次転写部７Ａに到達するタイミングで吸引部１１によるエアの吸引を開始するものとしたが、用紙Ｓの前端部Ｓａが吸引口１３に到達する時までに吸引部１１によるエアの吸引を開始していれば良い。この場合、第１センサー１６は、転写ニップ部８における用紙Ｓの存否を検知するものではなく、吸引口１３よりも用紙搬送方向の上流側の所定位置における用紙Ｓの存否を検知するように構成される。
【００５５】
また、本発明の実施の形態では、用紙Ｓの前端部Ｓａが定着部３０に到達してから用紙Ｓの後端部Ｓｂが吸引口１３よりも用紙搬送方向の下流側の位置に到達するまでの間、吸引部１１によるエアの吸引を停止するものとしたが、少なくとも用紙Ｓの後端部Ｓｂが吸引口１３を通過する時に吸引部１１によるエアの吸引を停止しておけば良い。この場合、第１センサー１６により転写ニップ部８における用紙Ｓの存否を検知し、その検知信号に基づいてエアの吸引を停止するものとしても良いし、第２センサー１７が定着部３０よりも用紙搬送方向の下流側の所定位置に設けられ、第２センサー１７による検知信号に基づいてエアの吸引を停止するものとしても良い。
【００５６】
また、本発明の実施の形態では、用紙Ｓの両面のうち２面目に画像形成を行う場合にのみ、吸引部１１による吸引の開始及び停止を行うものとしたが、用紙Ｓの両面のうち１面目に画像形成を行う場合にも行うものとしても良いし、用紙Ｓの片面のみに画像形成を行う場合にも行うものとしても良い。
【符号の説明】
【００５７】
６  中間転写ベルト（像担持体）
７Ｙ、７Ｍ、７Ｃ、７Ｋ  一次転写部
７Ａ  二次転写部（転写部）
８  転写ニップ部
１０Ｙ、１０Ｍ、１０Ｃ、１０Ｋ  画像形成部
１１  吸引部
１２  搬送ガイド部
１３  吸引口
１４  エア通路
１５  シャッター
１６  第１センサー
１７  第２センサー
２０  用紙搬送部
２１  給紙部
２４  用紙反転部
２５  排紙ローラー
３０  定着部
３１  加熱ローラー
３２  加圧ローラー
３３  定着ニップ部
６１  ローラー
８０  操作表示部
９０  制御部
２９１、２９２、２９３  給紙トレイ
Ａ  画像形成装置
ＳＣ  画像読み取り装置
Ｓ  用紙
Ｓａ  前端部
Ｓｂ  後端部
【図１】
0005796372.tif 000002
【図２】
0005796372.tif 000003
【図３】
0005796372.tif 000004
【図４】
0005796372.tif 000005
【図５】
0005796372.tif 000006
【図６】
0005796372.tif 000007